(57)【特許請求の範囲】
【請求項１】
固定具１と、シート固定具１１とから構成され、除草シートや農作物の育成補助に使用するマルチシート等のシート２１を挟みこんで固定する為のものであり、固定具１は、下側に開口する細長の箱状部材１０と、前記箱状部材１０の表面の幅方向より垂直に、且つ当該箱状部材１０の長さ方向に沿って少なくとも一箇所以上の凹部２が穿設され、前記箱状部材１０の幅方向の形状はアルファベットの“Ｔ”形のような形状としており、他方の部品のシート固定具１１は、側面を開口する細長の筒状部材１８を構成すると共に、前記筒状部材１８の幅方向の形状はカタカナの“ヒ”形のような形状をして事を特徴とするシート固定構造。
【請求項２】
他方の部品であるシート固定具１１の幅方向の形状となっているカタカナの“ヒ”形の右下端部には、上側に突出した支点部１３が構成されると共に、中央部の右端には、係合手段１５が構成され、一方の部品である固定具１にある凹部２の周囲に構成される内壁部６の長さ方向には、前記内壁部６を切り欠いた係合手段５が構成されており、前記係合手段１５と前記被係合手段５とが互いに係合される事を特徴とする請求項１記載のシート固定構造。
【請求項３】
他方の部品であるシート固定具１１にある支点部１３が、一方の部品である固定具１にある空間部７に嵌合され、前記支点部１３を軸として、二つの部品間にシート２１を挟む状態として前記シート２１を固定させる事を特徴とする請求項１記載のシート固定構造。
【請求項４】
一方の部品である固定具１には上下方向に貫通した穴３３が構成され、楔３２を前記穴３３に嵌合させる、もしくは、前記楔３２が固定具１に一体となって構成され、前記楔３２を土壌４１に差し込める様にした事を特徴とする請求項１記載のシート固定構造。
【発明の詳細な説明】
【技術分野】
【０００１】  本発明は、主に屋外で使用される除草シートやマルチシート等のシート類を簡単に敷設可能とするシート固定具に関する。
【背景技術】
【０００２】  除草シートは、多大な労力を必要とする草刈作業や環境破壊が懸念される除草剤散布等を行う事なく、雑草の育成を妨げる事ができるので、田畑等の耕作地や道路脇等に広く使用されている。更に、農作物の育成補助や害虫に対する対策に使用するマルチシート等、様々な用途で各種のシートが使用されている。【０００３】  シートの固定方法に関する公知の技術の一例として、例えば下記特許文献が開示されている。【０００４】
【特許文献１】特開平６−２４８６５２号公報
【特許文献２】特開２０１２−１３６９２２号公報
【発明の概要】
【発明が解決しようとする課題】
【０００５】  しかしながら、特許文献１はシート敷設作業効率に優れた方法であるものの、所要間隔でハトメ孔を設けた合成樹脂シートを用いて雑草の処置を実施する為、シート自体に加工を施す必要があり、汎用シートを用いる事ができない事からシート自体を製造する原価が高価となる事及びシート敷設範囲に複数枚のシートが別々に混在し、一括した敷設管理ができない等様々な課題を有していた。【０００６】  また、特許文献２はシート敷設作業の効率性やレイアウトの自由度等において優れた技術であり、整列良く敷設する事が可能となる発明であるものの、シートを強く引っ張ってしまった際に、シートを抑えている保持部が、変形する事で保持部の干渉寸法がなくなる事により解除され、シート保持具からシート自体が外れてしまい、シートが捲れる等の事から土壌が露出してしまうという課題を有していた。
【課題を解決するための手段】
【０００７】  本願の発明は、このような課題を解決する為になされ、その具体的解決手段として、従来のシート固定具で用いられていた固定方法に対して、シート自体に穴を必要とする事なく、市販されているシートの端部を二つの部品で上下方向に挟み込む事により、シートを加工する事もなく、そのまま使用でき、且つ、シートが強い力で引っ張られても、シート固定具からシートが容易に外れる事がないシート固定具を実現可能とした構造である。
【発明の効果】
【０００８】  従って、従来構造と比較して、汎用シートをそのまま使用できるだけでなく、シート敷設作業性を格段に向上でき、敷設したシートの捲れや脱落をも確実に防止できる方法であり、見栄え向上にも効果のあるシート固定具を提供するものである。
【図面の簡単な説明】
【０００９】
【図１】本発明の実施形態１における部品使用状態での斜視図
【図２】本発明の実施形態１におけるシート組付け準備段階での斜視図
【図３】本発明の実施形態１におけるシート固定具の斜視図
【図４】本発明の実施形態１におけるシート固定具組付け段階での斜視図
【図５】本発明の実施形態１におけるシート固定具組付け段階での断面図
【図６】本発明の実施形態１における部品組付け完了直前状態での斜視図及び断面図
【図７】本発明の実施形態１における部品組付け完了状態での断面斜視図
【図８】本発明の実施形態１における部品組付け完了状態での断面図
【図９】本発明の実施形態２における部品組付け状態での斜視図
【発明を実施するための形態】
【００１０】  以下、本発明のシート固定構造の詳しい技術構成を実施例に則して、且つ、図面を参照して具体的に説明する。尚、本発明は雑草の育成を阻む除草シートや農作物の育成補助に使用するマルチシートあるいは光合成を隅々まで促進する光合成促進シート等のシート２１を固定する方法であって、二種類の部品である固定具１及びシート固定具１１を使用してシート２１を挟んで固定する方法である。
（実施形態１）
【００１１】  図面により、本発明を説明する。図１〜図８は、本発明の実施形態１のシート固定構造を説明する図である。図１は本発明の実施形態１における部品使用状態での斜視図であり、図２及び図４〜図７は、本発明の実施形態１における各組付け段階での斜視図あるいは断面図である。また、図３は本発明の実施形態１におけるシート固定具の斜視図である。
【００１２】  図１は、シート固定に関わる部品が全て組付けられ、使用できる状態を説明する図である。部品構成は、固定具１及びシート固定具１１、シート２１の三種類であり、固定具１と、シート固定具１１とから構成され、除草シートや農作物の育成補助に使用するマルチシート等のシート２１を挟みこんで固定する為のものである。固定具１は、下側に開口する細長の箱状部材１０と、前記箱状部材１０の表面の幅方向より垂直に、且つ当該箱状部材１０の長さ方向に沿って少なくとも一箇所以上の凹部２が穿設され、前記箱状部材１０の幅方向の形状はアルファベットの“Ｔ”形のような形状としており、シート固定具１１は、側面を開口する細長の筒状部材１８を構成すると共に、前記筒状部材１８の幅方向の形状はカタカナの“ヒ”形のような形状をしている。
【００１３】  更に、シート固定具１１の幅方向の形状となっているカタカナの“ヒ”形の右下端部には、上側に突出した支点部１３が構成されると共に、中央部の右端には、係合手段１５が構成され、固定具１にある凹部２の周囲に構成される内壁部６の長さ方向には、前記内壁部６を切り欠いた係合手段５が構成されており、前記係合手段１５と前記被係合手段５とが互いに係合される。
【００１４】  尚、シート２１は、例えば、除草シートの幅寸法１ｍの製品が一般的となっている。また、長さ寸法については、５ｍ、１０ｍ、３０ｍ、５０ｍ及び１００ｍといったサイズが市販されており、バリエーション豊かであるが、固定具１及びシート固定具１１を用いる事により、更に連続した長さや幅寸法のシートへと構成でき、あらゆる面積の土壌４１に敷設する事が可能となる発明である。
【００１５】  例えば、長さ寸法１００ｍの除草シートを１０枚準備し、各除草シート間の端部を固定具１及びシート固定具１１に挟んで固定して、準備した全てのシートを連結させれば、約１ｋｍの長さの距離を連続した状態で敷設する事が可能となる。更に、横方向に並行して敷設すれば、より広い面積の土壌に対して、除草剤を散布する事なく、整列良く設置する事ができるので、自然環境保護という観点からも良好な手段である。
【００１６】  図２は、本発明の実施形態１におけるシート組付け段階での斜視図であり、シート固定における各段階は、図４の状態から、図７の本発明の実施形態１における部品組付け完了状態での断面斜視図となり、シート２１を連結固定する場合の一連の作業が完了する。シート固定の作業は、図２の（ａ）から始まり、図２の（ｂ）を経由し、図４の（ａ）の状態から図４の（ｂ）に移行し、図７の状態となる。尚、図２の（ａ）は、固定具１の斜視図であり、図２の（ｂ）は、固定具１にある平面部９にシート２１を乗せた状態である。
【００１７】  図３は、シート固定具１１の斜視図であり、次の工程では、図２の（ｂ）の状態にシート固定具１１を組付ける事となる。図４は、本発明の実施形態１におけるシート固定具組付け段階での斜視図であり、図４の（ａ）は、シート固定具１１にある支点部１３が、固定具１の空間部７に入り込み、シート２１を抑えている状態である。
【００１８】  尚、図４（ａ）の状態における断面図が、図５の、本発明の実施形態１におけるシート固定具組付け段階での断面図であり、シート固定具１１にある支点部１３により、シート２１が固定具１の縁部３にあるポイントＤ及び固定具１の側面壁部８にあるポイントＣの二箇所に接触し、シート２１の位置ズレを防止すると共に、シート２１が所定の位置に固定できる様になっている。また、固定具１にある縁部３と空間部７との間にはＡ寸法分の段差があり、シート固定具１１にある支点部１３と固定具１にある縁部３間には、Ｂ寸法分だけの干渉があるので、回転する支点から容易に外れる事はない。
【００１９】  図４の（ｂ）は、シート固定具１１にある支点部１３を支点としてシート固定具１１が回転し、シート固定具１１にある内面部１６がシート２１を中間に挟む形で固定具１にある平面部９の上に並行に収まり、二箇所あるシート２１の片側の組付けが完了した状態である。
【００２０】  図７は、本発明の実施形態１における部品組付け完了状態での断面斜視図であり、二箇所にあるシート２１の組付けが全て完了した状態である。図８は、本発明の実施形態１における部品組付け完了状態での断面図あり、図７の状態における断面形状である。図８の組付け完了状態では、シート固定具１１にある係合手段１５が固定具１にある被係合手段５にＦ寸法分だけ係合する事で、固定具１とシート固定具１１がシート２１を挟んで所定の位置に組付けられる。更に、シート固定具１１にある支点部１３が、固定具１にある空間部７に嵌合され、支点部１３を軸として、二つの部品間にシート２１を挟む状態にしてシート２１を固定している。
【００２１】  尚、シート２１は固定具１とシート固定具１１に挟まれる際、６回曲げられるので、あらゆる方向に引っ張られた際にも抜け難い状態になっている。また、シート２１を土壌４１に設置した際には、Ｔ１及びＴ２方向に引っ張られる事になるが、シート固定具１１にある支点部１３がシート２１を挟んで固定具１にある空間部７に嵌り込む事により、固定具１にある縁部３とシート固定具１１にある支点部１３との間にｂ寸法分の干渉範囲ができる。以上の事から、固定具１とシート固定具１１には寸法Ｆと寸法ｂ分の干渉寸法が有効となり、容易に抜ける事がない構造を実現している。
【００２２】  図６は、本発明の実施形態１における部品組付け完了直前状態での斜視図及び断面図であり、固定具１とシート固定具１１が係合する直前あるいは固定具１とシート固定具１１を解除して引き離す最初の段階であり、シート固定具１１にある鍔部１７に指や棒を引掛けて押し上げる事で、この状態に移行する。尚、シート固定具１１にある係合手段１５が固定具１にある被係合手段５にＦ寸法分だけ係合していた状態からシート固定具１１にあるアーム部１２が湾曲する事で、係合していたＦ寸法がゼロ以下となり、干渉がなくなる状態となる。また、固定具１にある内壁部６によりアーム部１２が過剰に湾曲して永久変形を引き起こす事なく、固定具１とシート固定具１１が繰り返し係合できる様、適度な空間寸法ｅを設けている。
（実施形態２）
【００２３】  本発明の第２実施形態について図９を用いて説明する。尚、本発明の実施形態１と実施形態２の主な相違点は、実施形態２には、固定具１に穴３３が設けられている点である。実施形態２では、固定具１にある穴３３に楔３２を差し込む事で楔３２が土壌４１に差し込む事が可能となるので、雑草の育成を妨げる適切な場所に設置する事が可能となる。尚、固定具１には上下方向に貫通した穴３３が構成され、楔３２を固定具１にある穴３３に嵌合させる、もしくは、楔３２自体が固定具１に一体となって構成され、前記楔３２を土壌４１に差し込める構造となっている。
【００２４】  固定具１とシート固定具１１は、樹脂材等を用いた軽いものでできているので、設置作業も手軽で効率的に実施できると共に、拡張や変更にも容易に対応できる。使用材質については、合成樹脂の単独、あるいは、木屑、炭酸カルシュウム、再生プラスチックス、などの充填剤を高配合させたＰＥ、ＰＰ、ポリアミドなどの可とう性のある合成樹脂、更には、耐候性安定剤や防虫剤などの添加剤を配合した合成樹脂などで構成すればよい。また、可とう性や耐候性のあるステンレスなどの金属を使用してもよい。
【００２５】  更に、本発明では全ての構成部品が、組立式であるとともに分解も容易に可能な構造となっており、部品廃却時には解体作業による材料分別に貢献できる構造である。更に、エコキャップ運動と連動して再資源化を実施することも可能な構造であり、地球温暖化対策に向けた二酸化炭素の排出低減に大きく貢献できるものである。
【産業上の利用可能性】
【００２６】  本発明は、雑草が生えてしまい、その対策として使用する除草シートや農作物の育成補助として使用しているマルチシートあるいは光合成を隅々まで促進する光合成促進シート等のシート類を、シート自体に穴開け等の加工を施す事なく、シート２１の敷設が必要とされる範囲の大きさを自由に定め、簡単な組付けで見栄え良く構成させる事ができると共に、シート２１を強く引っ張ってしまった際でも、シート２１を抑えている保持部が変形する事なく、保持具１及びシート保持具１１によって、シート２１を確実に挟み込んで固定する組付け構造を提供する技術である。
【符号の説明】
【００２７】１          ・・・・固定具
２          ・・・・凹部
３          ・・・・縁部
４          ・・・・側面部
５          ・・・・被係合手段
７          ・・・・空間部
８          ・・・・側面壁部
９          ・・・・平面部
１０        ・・・・箱状部材
１１        ・・・・シート固定具
１２        ・・・・アーム部
１３        ・・・・支点部
１４        ・・・・上面部
１５        ・・・・係合手段
１８        ・・・・筒状部材
２１        ・・・・シート
３２        ・・・・楔
３３        ・・・・穴
４１        ・・・・土壌
【要約】
【課題】主に屋外で使用される除草シートやマルチシートあるいは光合成を隅々まで促進する光合成促進シート等のシート類を簡単に敷設可能とするシート固定具であり、解体作業も簡単に行えるので、近年の環境保護の観点である循環型社会の形成に向け、廃棄物の抑制や限りある資源の有効利用への諸施策に効果的である。
【解決手段】雑草の育成を阻む除草シートや農作物の育成補助に使用するマルチシート等のシート類に穴を開ける等の加工する必要もなく、市販されているシート類の端部を二つの部品で上下方向に挟み込む事により、そのまま使用でき、且つ、シート類が強い力で引っ張られても、容易にシート固定具が外れる事のない保持強度を実現可能とした構造である。更に、二つの部品でシート２１を挟み込み固定させて土壌４１に簡単な作業で設置させる事ができるシート固定具である。
【選択図】図１【図１】
0005386712.tif 000002
【図２】
0005386712.tif 000003
【図３】
0005386712.tif 000004
【図４】
0005386712.tif 000005
【図５】
0005386712.tif 000006
【図６】
0005386712.tif 000007
【図７】
0005386712.tif 000008
【図８】
0005386712.tif 000009
【図９】
0005386712.tif 000010